(57)【要約】      （修正有）【課題】大面積のシートの敷設及び巻取りを楽に短時間で行う事が可能なシート巻取バルーンを提供する。【解決手段】長尺の略円柱形状のバルーン本体３０と、バルーン本体の端面に設けられたエアバルブ３２と、バルーン本体の軸線方向に沿って設置されたシート端保持部材３４と、を有し、エアバルブから空気を入れてバルーン本体を膨らまし、シート端保持部材にシートの端辺を固定した後、バルーン本体を転がすことでバルーン本体を巻芯としてシートを巻取る。これにより、極めて短時間でシートの巻取り撤去を行うことができる。また、シートの敷設時には、バルーン本体を転がしてシートを敷設エリア上で巻き解くことで、少人数でも極めて短時間でシートの敷設を行うことができる。【選択図】図１
0003215451.tif 000002
【実用新案登録請求の範囲】
【請求項１】
長尺の略円柱形状のバルーン本体と、
前記バルーン本体の端面に設けられたエアバルブと、
前記バルーン本体の軸線方向に沿って設置されたシート端保持部材と、を有し、
前記エアバルブから空気を入れて前記バルーン本体を膨らまし、前記シート端保持部材にシートの端辺を固定した後、前記バルーン本体を転がすことで前記バルーン本体を巻芯として前記シートを巻取ることを特徴とするシート巻取バルーン。
【請求項２】
バルーン本体の周面部を、幅１ｍ〜２ｍの輪状の帯状部材を複数繋ぎ合わせて構成したことを特徴とする請求項１記載のシート巻取バルーン。
【請求項３】
バルーン本体の直径が８０ｃｍ〜１．５ｍであり、長さが１０ｍ〜３０ｍであることを特徴とする請求項１または請求項２に記載のシート巻取バルーン。
【考案の詳細な説明】
【技術分野】
【０００１】
本考案は、サッカー場や競技場等の運動施設、ホール、公園等、ある程度の面積を有する所定のエリアに対し、シートの敷設及び巻取りを行うためのシート巻取バルーンに関するものである。
【背景技術】
【０００２】
例えば、天然芝のサッカー場では植栽された芝の保護等ため不使用時に養生シート等で芝面全域を覆うことが行われている。ただし、サッカー場は大きな面積を有しているためシート敷設エリアも広い。このため、短幅のシートでは作業効率が悪く、よって長幅の大面積のシートを用いてシート敷設エリアを覆うことが一般的である。このように、大面積のシートを用いることで作業効率は幾分向上するものの、大面積のシートの敷設及び撤去は未だ大変な作業であり、多くの人員と時間を要する。特に、冬季には芝の防寒のため使用時にシートを撤去し、使用後に再敷設することが頻繁に行われており、作業者の負担は大きい。この問題点に関し、下記［特許文献１］には台車を手押し走行させることでシートの敷設及び巻き取りを行うフロアシート巻取り機に関する発明が開示されている。
【先行技術文献】
【特許文献】
【０００３】
【特許文献１】特開２００４−３０７１６４号公報
【考案の概要】
【考案が解決しようとする課題】
【０００４】
しかしながら、［特許文献１］に記載の発明は短幅のフロアシートを体育館等の屋内運動施設に敷くものであり、長幅のシートへの適用は困難であるという問題点がある。
【０００５】
本考案は上記事情に鑑みてなされたものであり、大面積のシートの敷設及び巻取りを楽に短時間で行う事が可能なシート巻取バルーンの提供を目的とする。
【課題を解決するための手段】
【０００６】
本考案は、
（１）長尺の略円柱形状のバルーン本体３０と、
前記バルーン本体３０の端面３０ａに設けられたエアバルブ３２と、
前記バルーン本体３０の軸線方向に沿って設置されたシート端保持部材３４と、を有し、
前記エアバルブ３２から空気を入れて前記バルーン本体３０を膨らまし、前記シート端保持部材３４にシート５の端辺５ａを固定した後、前記バルーン本体３０を転がすことで前記バルーン本体３０を巻芯として前記シート５を巻取ることを特徴とするシート巻取バルーン８０を提供することにより、上記課題を解決する。
（２）バルーン本体３０の周面部を、幅１ｍ〜２ｍの輪状の帯状部材３０ｂを複数繋ぎ合わせて構成したことを特徴とする上記（１）記載のシート巻取バルーン８０を提供することにより、上記課題を解決する。
（３）バルーン本体３０の直径が８０ｃｍ〜１．５ｍであり、長さが１０ｍ〜３０ｍであることを特徴とする上記（１）または（２）に記載のシート巻取バルーン８０を提供することにより、上記課題を解決する。
【考案の効果】
【０００７】
本考案に係るシート巻取バルーンは、空気を充填することで長幅のシートの巻芯となる。そして、このシート巻取バルーンの周面にシートの端辺を固定してシート巻取バルーンを転がすことでシートの巻取りを楽に短時間に行うことができる。また、シートの巻かれたシート巻取バルーンを転がしてシート敷設エリア上で巻き解くことで、シートの敷設を楽に短時間に行うことができる。
【図面の簡単な説明】
【０００８】
【図１】本考案に係るシート巻取バルーンを示す図である。
【図２】本考案に係るシート巻取バルーンの使用方法を説明する図である。
【図３】本考案に係るシート巻取バルーンの使用方法を説明する図である。
【図４】本考案に係るシート巻取バルーンの使用方法を説明する図である。
【考案を実施するための形態】
【０００９】
本考案に係るシート巻取バルーンの実施の形態を図面に基づいて説明する。先ず、本考案に係るシート巻取バルーン８０は、運動場や競技場、公園等のグラウンドやトラック、芝生等の保護シート、養生シート、雨天対策の防水シート、ホールや体育館等の床面を保護する保護シート、果樹園等の防草シート等、比較的広範囲のエリアを覆うシートの敷設及び巻取りを行うためのものであり、使用する場所及び用いるシートに関しては特に限定は無く、如何なる場所、如何なるシートに適用しても良い。
【００１０】
ここで、図１（ａ）は膨らませた状態のシート巻取バルーン８０の正面図であり、図１（ｂ）は側面（端面）図である。本考案に係るシート巻取バルーン８０は、図１（ａ）、（ｂ）に示すように、軸線方向に長尺で略円柱形状のバルーン本体３０と、このバルーン本体３０の端面３０ａに設けられたエアバルブ３２と、このバルーン本体３０の軸線方向に沿って設置されたシート端保持部材３４と、を有している。尚、バルーン本体３０の端面３０ａには、過剰なエアが充填された場合にこれを放出するリリースバルブ３６を設けることが好ましい。また、バルーン本体３０の両端側にはシート５の固定範囲を示唆するサイドライン３８を設けても良い。
【００１１】
また、バルーン本体３０は例えばポリ塩化ビニル等のある程度の強度と柔軟性とを備えた周知の合成樹脂を用いることが好ましい。尚、バルーン本体３０は幅１ｍ〜２ｍ程度の帯状部材３０ｂを輪状にして、これを複数繋ぎ合わせて構成することが好ましい。この構成によれば、帯状部材を縦方向（軸線方向）に繋ぎ合わせた場合と比較して、周面の凹凸や歪み、偏心が少なく、スムーズに転がるバルーン本体３０を形成することができる。また、このバルーン本体３０の寸法に関しては特に限定は無いが、作業者が転がし易い直径８０ｃｍ〜１．５ｍ程度のものとすることが好ましい。また、バルーン本体３０の長さはシート５を敷設するエリアの寸法によって異なるが概ね１０ｍ〜３０ｍとすることが好ましい。尚、サッカー場のピッチの縦横寸法は１０５ｍ×６８ｍのものが一般的であり、この場合、長さ約２５ｍのシート巻取バルーン８０を３本並べて使用することが好ましい。
【００１２】
また、シート端保持部材３４はシート５の端辺部分を容易に着脱可能な周知の部材を用いることができる。中でも特に面ファスナを用いることが好ましい。また、シート５側の端辺５ａに係合部材を設け、フックやボタン、ホック等を用いても良い。
【００１３】
次に、本考案に係るシート巻取バルーン８０の使用方法を説明する。ここでは、先ず空気の充填されていないシート巻取バルーン８０を用いて、既に敷設されているシートを巻取る方法を説明する。
【００１４】
先ず、空気が充填されていないシート巻取バルーン８０を所定の位置に配置する。この所定の位置とは、シート５の端辺５ａの外側で且つ敷設されたシート５の中央位置とシート巻取バルーン８０の中央位置とが概ね一致する位置である。また、このときシート巻取バルーン８０の軸線方向が、シート５の長尺方向と垂直となるようにする。次に、図２（ａ）に示すように、エアバルブ３２にエアポンプ１０のホース１２を接続する。そして、エアポンプ１０を起動し、バルーン本体３０の内部に空気を充填する。尚、エアバルブ３２、リリースバルブ３６はバルーン本体３０の一端のみに設けても良いが、両端に設けることがエア充填のスピードの面から好ましい。そして、エアポンプ１０による空気の充填が完了すると、ホース１２が取り外されエアバルブ３２が閉塞する。
【００１５】
次に、図２（ｂ）に示すように、シート端保持部材３４がシート５の端辺５ａの側に来るようにシート巻取バルーン８０を移動する。次に、図２（ｃ）に示すように、シート５の端辺５ａをシート端保持部材３４に固定する。次に、複数の作業者がシート巻取バルーン８０をシート５側に転がす。これにより、バルーン本体３０が巻芯として機能し、図２（ｄ）に示すように、バルーン本体３０の周面にシート５が巻取られる。そして、図２（ｅ）に示すように、シート５が全て巻取られると、そのままシート巻取バルーン８０を転がして所定の位置に移動する。このときシート５が意図に反して解けないようにシート５の外周側の端辺をテープ等の端辺固定部材で留めるなどしても良い。
【００１６】
そして、所定の位置に移動されたシート巻取バルーン８０は、そのままシート５の再敷設まで保持しても良いし、図２（ｆ）に示すようにバルーン本体３０の空気を抜いて保持しても良い。この空気を抜いて保持する構成では、強風によるシート巻取バルーン８０の移動や部外者の悪戯等を防止することができる。
【００１７】
また、シート５を別の場所に保管する場合には、以下の様な手順で収容しても良い。先ず、図３（ａ）に示すように、シート巻取バルーン８０を膨らませた状態で、その一部（中央部分が好ましい）を周知のパレット部材３上に載置する。次に、図３（ｂ）に示すように、シート巻取バルーン８０をパレット部材３に乗せたままバルーン本体３０の空気を抜く。次に、図３（ｃ）に示すように、バルーン本体３０をシート５とともに巻き、パレット部材３上に載置する。そして、シート巻取バルーン８０及びシート５をパレット部材３とともにフォークリフト等で所定の場所に収容する。この構成ではシート巻取バルーン８０を膨らませた状態でパレット部材３上に移動するため、シート５（シート巻取バルーン８０）のパレット部材３への積み下ろしを短時間で楽に行うことができる。また、シート巻取バルーン８０を巻芯として挿入した状態でシート５が収容されるため、シート５の再敷設を楽に行うことができる。
【００１８】
次に、シート巻取バルーン８０によるシート５の敷設の方法を説明する。先ず、シート５がシート巻取バルーン８０を巻芯としてパレット部材３に載っている場合、作業者はフォークリフト等を用いてこれらをパレット部材３ごとシート敷設エリアの端の所定の場所に載置する。次に、図３（ｂ）に示すように、バルーン本体３０をシート５ごと巻き解く。
【００１９】
次に、エアポンプ１０、ホース１２等を用いてバルーン本体３０の内部に空気を充填する。これにより、図３（ａ）に示すように、シート５が巻き付いたバルーン本体３０が膨らむ。次に、シート巻取バルーン８０を転がしてパレット部材３から下ろすとともに、シート敷設エリアの端に移動させる。このとき、シート敷設エリアにおけるシート５の敷設方向とバルーン本体３０の軸線方向とが垂直になるようにする。
【００２０】
また、図２（ｆ）に示すように、シート５の巻き付いたシート巻取バルーン８０が空気の抜けた状態で保持されている場合、この状態でエアポンプ１０、ホース１２等を用いてバルーン本体３０に空気を充填する。これにより、図２（ｅ）に示すように、シート５が巻き付いたバルーン本体３０が膨らむ。次に、シート巻取バルーン８０を転がしてシート敷設エリアの端に移動させる。また、空気を抜かずにシート巻取バルーン８０が保持されている場合、そのまま、シート巻取バルーン８０を転がしてシート敷設エリアの端に移動させる。
【００２１】
次に、シート５が端辺固定部材で留められている場合にはこれを解除する。次に、シート５の外周側の端辺をシート敷設エリアの端に位置させる。次に、シート巻取バルーン８０を転がしてシート５をシート敷設エリア上に巻き解く。これにより、図４に示すように、シート敷設エリアにシート５が敷設される。そして、シート５が全て巻き解かれると、シート５の端辺５ａをシート５の端辺５ａから取り外す。これにより、シート５の敷設が完了する。
【００２２】
シート５の敷設が終了したシート巻取バルーン８０は所定の位置に転がしてそのまま保持しても良いし、バルーン本体３０の空気を抜いて保持しても良い。さらに、パレット部材３上に載置した後、空気を抜き、折り畳んでフォークリフト等で所定の場所に収容しても良い。
【００２３】
以上のように、本考案に係るシート巻取バルーン８０は、空気を充填することで長幅のシート５の巻芯となる。そして、このシート巻取バルーン８０の周面にシート５の端辺５ａを固定してシート巻取バルーン８０を転がすことで、シート巻取バルーン８０の周面にシート５が巻取られる。これにより、極めて短時間でシート５の巻取り撤去を行うことができる。また、シート巻取バルーン８０は空気が充填して膨らんだバルーンであるから比較的軽量であり、少人数でも楽に転がすことができる。これにより、作業者の人的削減を図ることができる。さらに、シート５の敷設時には、シート５が巻かれたシート巻取バルーン８０を転がしてシート５をシート敷設エリア上で巻き解くことで、少人数でも極めて短時間でシート５の敷設を行うことができる。このように本考案に係るシート巻取バルーン８０によれば、大面積のシート５の敷設及び巻取りの作業効率を飛躍的に向上させることができる。また、シート巻取バルーン８０の空気を抜くことで保管時の省スペース化を図ることができる。
【００２４】
尚、上記に示したシート巻取バルーン８０の各部の構成、配置、寸法、使用方法等は一例であるから、上記の例に限定されるわけでは無く、本考案は本考案の要旨を逸脱しない範囲で変更して実施することが可能である。
【符号の説明】
【００２５】
５      シート
５ａ    端辺
３０    バルーン本体
３０ａ  端面
３０ｂ  帯状部材
３２    エアバルブ
３４    シート端保持部材
８０    シート巻取バルーン
【図１】
0003215451.tif 000003
【図２】
0003215451.tif 000004
【図３】
0003215451.tif 000005
【図４】
0003215451.tif 000006